(57)【要約】【課題】  車両を駐車場に駐車させるのに便利な駐車場の利用者認証方法を提供しようとする。【解決手段】  従来の駐車場の利用者認証方法に変わって、入出庫口の前に位置する利用者の操作する電気通信機器と通信可能な電子機器である外部通信コントロール部を準備する準備工程と、入出庫口の前に位置する利用者の操作する電気通信機器と前記外部通信コントロール部との通信を確保する通信確保工程と、前記外部通信コントロール部が通信を確保した電気通信機器から顧客ＩＤを受信する顧客ＩＤ受信工程と、受信した顧客ＩＤが有効が否かを判定する顧客ＩＤ有効判定工程と、顧客ＩＤが有効であると判断するとき利用者の乗る車両を特定入出庫口に通して入出庫させる入出庫工程と、を備える、ものとした。【選択図】    図１
2018040128.tif 000002
【特許請求の範囲】
【請求項１】
電気通信機器を操作する利用者の乗る車両を入出庫口を通して受入れて駐車させる駐車システムおける駐車場の利用者認証方法であって、
入出庫口の前に位置する利用者の操作する電気通信機器と通信可能な電子機器である外部通信コントロール部を準備する準備工程と、
入出庫口の前に位置する利用者の操作する電気通信機器と前記外部通信コントロール部との通信を確保する通信確保工程と、
前記外部通信コントロール部が通信を確保した電気通信機器から顧客ＩＤを受信する顧客ＩＤ受信工程と、
受信した顧客ＩＤが有効が否かを判定する顧客ＩＤ有効判定工程と、
顧客ＩＤが有効であると判断するとき利用者の乗る車両を特定入出庫口に通して入出庫させる入出庫工程と、
を備え、
ここで、
前記顧客ＩＤは駐車システムにより電気通信機器に与えられるＩＤまたは電気通信機器を操作する利用者に与えられるＩＤであり、
前記特定入出庫口は利用者が車両を入出庫させるための操作である入出庫操作をする入出庫口である、
ことを特徴とする駐車場の利用者認証方法。
【請求項２】
前記顧客ＩＤ有効判定工程は、受信した前記顧客ＩＤが通信を確保した電気通信機器の位置する入出庫口を持つ駐車場と予め関連づけられていると判断したとき受信した前記顧客ＩＤが有効であると判定する、
ことを特徴とする請求項１に記載の駐車場の利用者認証方法。
【請求項３】
前記準備工程が複数の駐車場を管理できるパーキングサーバを用意し、
前記顧客ＩＤ有効判定工程は、前記外部通信コントロール部が受信した前記顧客ＩＤと前記外部通信コントロール部の位置する入出庫口を持つ駐車場のパーキングＩＤとを前記パーキングサーバに送信した後で、前記外部通信コントロール部が前記パーキングサーバから前記顧客ＩＤが前記パーキングＩＤに対して有効であることを意味する有効信号を受信したとき、前記顧客ＩＤが有効であると判定する、
ことを特徴とする請求項２に記載の駐車場の利用者認証方法。
【請求項４】
前記外部通信コントロール部が外部通信コントロール部本体と入出庫口の前に設けられる車両を一時停止させる領域である一時停止領域の内側に位置する電気通信機器と無線通信できる指向性をもつ受信機とを有する、
ことを特徴とする請求項３に記載の駐車場の利用者認証方法。
【請求項５】
前記外部通信コントロール部が外部通信コントロール部本体と入出庫口の前に設けられる車両を一時停止させる領域である一時停止領域の内側に位置する電気通信機器と無線通信できる指向性をもつ複数の受信機とを有し、
複数の受信機が上から見て入出庫口の横幅方向に任意の間隔で配置され、
複数の受信機のうちの単数又は複数の特定受信機の位置の情報である単数又は複数の位置情報を基に特定電気通信機器が一時停止領域の内側に位置するか否かを判定する位置判定工程と、
を備え、
ここで、
前記特定電気通信機器は前記外部通信コントロール部と通信を確保できた前記電気通信機器であり、
前記特定受信機は前記特定電気通信機器と通信を確保できた特定の受信機であり、
前記位置判定工程が前記特定電気通信機器が前記特定入出庫口の一時停止領域の内側に位置すると判定すると前記入出庫工程を実行する、
ことを特徴とする請求項４に記載の駐車場の利用者認証方法。
【請求項６】
前記位置判定工程は、複数の受信機のうち単数又は複数の特定受信機の位置の情報である単数又は複数の位置情報を基に、上から見て単数または複数の前記特定受信機の位置の平均位置が確認した前記特定入出庫口の位置に対応するときに、前記特定電気通信機器が前記特定入出庫口の一時停止領域の内側に位置すると判定する、
ことを特徴とする請求項５に記載の駐車場の利用者認証方法。
【請求項７】
前記位置判定工程は、利用者が入出庫口での操作を開始したとき前記特定入出庫口を確認し、複数の受信機のうちの単数又は複数の特定受信機の位置の情報である単数又は複数の位置情報を基に特定電気通信機器が確認した前記特定入出庫口の一時停止領域の内側に位置するか否かを判定する
ことを特徴とする請求項６に記載の駐車場の利用者認証方法。
【請求項８】
前記位置判定工程は、利用者が入出庫口での操作を開始したとき前記特定入出庫口を確認し、複数の受信機のうち通信を確保できた特定の受信機である単数又は複数の特定受信機の位置の情報である単数又は複数の位置情報を基に、上から見て単数または複数の前記特定受信機の位置の平均位置が確認した前記特定入出庫口の位置に対応するときに、前記特定電気通信機器が前記特定入出庫口の一時停止領域の内側に位置すると判定する、
ことを特徴とする請求項７に記載の駐車場の利用者認証方法。
【請求項９】
前記顧客ＩＤ有効判定工程は、利用者が入出庫口での入出庫操作を開始したとき前記特定入出庫口を確認し、受信した前記顧客ＩＤが確認した前記特定入出庫口と予め関連づけられているとき受信した前記顧客ＩＤが有効であると判定する、
ことを特徴とする請求項１に記載の駐車場の利用者認証方法。
【請求項１０】
前記顧客ＩＤ有効判定工程は、利用者が入出庫口での入出庫操作を開始したとき前記特定入出庫口を確認し、受信した前記顧客ＩＤが確認した前記特定入出庫口を持つ駐車場と予め関連づけられているとき受信した前記顧客ＩＤが有効であると判定する、
ことを特徴とする請求項１に記載の駐車場の利用者認証方法。
【請求項１１】
前記外部通信コントロール部が外部通信コントロール部本体と入出庫口の前に設けられる車両を一時停止させる領域である一時停止領域の内側に位置する電気通信機器と無線通信できる指向性をもつ受信機とを有する、
ことを特徴とする請求項２に記載の駐車場の利用者認証方法。
【請求項１２】
前記外部通信コントロール部が外部通信コントロール部本体と入出庫口の前に設けられる車両を一時停止させる領域である一時停止領域の内側に位置する電気通信機器と無線通信できる指向性をもつ複数の受信機とを有し、
複数の受信機が上から見て入出庫口の横幅方向に任意の間隔で配置され、
複数の受信機のうち単数又は複数の特定受信機の位置の情報である単数又は複数の位置情報を基に特定電気通信機器が前記特定入出庫口の一時停止領域の内側に位置するか否かを判定する位置判定工程と、
を備え、
ここで、
前記特定電気通信機器は前記外部通信コントロール部と通信を確保できた前記電気通信機器であり、
前記特定受信機は前記特定電気通信機器と通信を確保できた特定の受信機であり、
前記位置判定工程が前記特定電気通信機器が前記特定入出庫口の一時停止領域の内側に位置すると判定すると前記入出庫工程を実行する、
ことを特徴とする請求項１に記載の駐車場の利用者認証方法。
【請求項１３】
前記外部通信コントロール部が外部通信コントロール部本体と入出庫口の前に設けられる車両を一時停止させる領域である一時停止領域の内側に位置する電気通信機器と無線通信できる指向性をもつ複数の受信機とを有し、
複数の受信機が上から見て入出庫口の横幅方向に任意の間隔で配置され、
複数の受信機のうち単数又は複数の特定受信機の位置の情報である単数又は複数の位置情報を基に、上から見て単数または複数の前記特定受信機の位置の平均位置が前記特定入出庫口の位置に対応するときに、前記特定電気通信機器が前記特定入出庫口の一時停止領域の内側に位置すると判定する、位置判定工程と、
を備え、
ここで、
前記特定電気通信機器は前記外部通信コントロール部と通信を確保できた前記電気通信機器であり、
前記特定受信機は前記特定電気通信機器と通信を確保できた特定の受信機であり、
前記位置判定工程が前記特定電気通信機器が前記特定入出庫口の一時停止領域の内側に位置すると判定すると前記入出庫工程を実行する、
ことを特徴とする請求項１に記載の駐車場の利用者認証方法。
【請求項１４】
前記外部通信コントロール部が外部通信コントロール部本体と入出庫口の前に設けられる車両を一時停止させる領域である一時停止領域の内側に位置する電気通信機器と無線通信できる指向性をもつ複数の受信機とを有し、
複数の受信機が上から見て入出庫口の横幅方向に任意の間隔で配置され、
利用者が入出庫口での操作を開始したとき前記特定入出庫口を確認し、複数の受信機のうち単数又は複数の特定受信機の位置の情報である単数又は複数の位置情報を基に特定電気通信機器が確認した前記特定入出庫口の一時停止領域の内側に位置するか否かを判定する位置判定工程と、
を備え、
ここで、
前記特定電気通信機器は前記外部通信コントロール部と通信を確保できた前記電気通信機器であり、
前記特定受信機は前記特定電気通信機器と通信を確保できた特定の受信機であり、
前記位置判定工程が前記特定電気通信機器が前記特定入出庫口の一時停止領域の内側に位置すると判定すると前記入出庫工程を実行する、
ことを特徴とする請求項１に記載の駐車場の利用者認証方法。
【請求項１５】
前記外部通信コントロール部が外部通信コントロール部本体と入出庫口の前に設けられる車両を一時停止させる領域である一時停止領域の内側に位置する電気通信機器と無線通信できる指向性をもつ複数の受信機とを有し、
複数の受信機が上から見て入出庫口の横幅方向に任意の間隔で配置され、
利用者が入出庫口での操作を開始したとき前記特定入出庫口を確認し、複数の受信機のうち単数又は複数の特定受信機の位置の情報である単数又は複数の位置情報を基に、上から見て単数または複数の前記特定受信機の位置の平均位置が確認した前記特定入出庫口の位置に対応するときに、前記特定電気通信機器が前記特定入出庫口の一時停止領域の内側に位置すると判定する、位置判定工程と、
を備え、
ここで、
前記特定電気通信機器は前記外部通信コントロール部と通信を確保できた前記電気通信機器であり、
前記特定受信機は前記特定電気通信機器と通信を確保できた特定の受信機であり、
前記位置判定工程が前記特定電気通信機器が前記特定入出庫口の一時停止領域の内側に位置すると判定すると前記入出庫工程を実行する、
ことを特徴とする請求項１に記載の駐車場の利用者認証方法。
【発明の詳細な説明】
【技術分野】
【０００１】
本発明は、電気通信機器を操作する利用者の乗る車両を入出庫口を通して受入れて駐車させる駐車システムに係る。特に、電気通信機器を操作する利用者の乗る車両を入出庫口を通して受入れて駐車させる駐車場の利用者認証方法に関する。
【背景技術】
【０００２】
複数の車両を駐車させるのに駐車場を用いることがある。
駐車場は、車両を入出庫空間と駐車空間との間で移載させて駐車空間に駐車させる。
例えば、機械式駐車場は、車両をパレットに乗せ、パレットを入出庫空間と駐車空間との間で移載させて駐車空間に駐車させる。
例えば、自走式駐車場は、自走する車両を入出庫口から受入れて、車両が自走して駐車空間に止まる。
【０００３】
操作盤が駐車場に設置されている。
利用者は入庫操作・出庫操作をおこなうために車両から降りて操作盤にたいして操作をおこなう。
車内からリモコンによる操作もできるが、入庫開始の操作に限定されている。
【０００４】
上述のとおり、駐車場を操作するには車両を降りる必要があるが、雨天のときなど不便であるとの意見がある。
また、駐車場の機種により操作方法が異なっており、利用者が操作方法を事前に学習する必要がある。
【０００５】
そこで、携帯端末で駐車場の操作を行うことが提案されている。
発明者らは、モバイル端末やカーナビにて駐車場の操作を行うことを提案する。
モバイル端末は、携帯電話、スマートホン、携帯タブレット、パソコン、等である。
操作インターフェースを統一することで、どの駐車場を利用する場合も同じ操作で入庫・出庫操作をおこなうことができる。
また、駐車場とモバイル端末やカーナビとを無線でつなぐことにより車両から降りずに入庫操作・出庫操作を行える。
【０００６】
従って、車両から可能なかぎり降りることがなく、複雑な駐車場の操作を統一できて異なる機種の駐車場でも同じ操作を可能とする駐車システムが望まれている。
【発明の概要】
【発明が解決しようとする課題】
【０００７】
本発明は以上に述べた問題点に鑑み案出されたもので、車両を駐車場に駐車させるのに便利な駐車場の利用者認証方法を提供しようとする。
【課題を解決するための手段】
【０００８】
上記目的を達成するため、本発明に係る電気通信機器を操作する利用者の乗る車両を入出庫口を通して受入れて駐車させる駐車システムにおける駐車場の利用者認証方法であって、入出庫口の前に位置する利用者の操作する電気通信機器と通信可能な電子機器である外部通信コントロール部を準備する準備工程と、入出庫口の前に位置する利用者の操作する電気通信機器と前記外部通信コントロール部との通信を確保する通信確保工程と、前記外部通信コントロール部が通信を確保した電気通信機器から顧客ＩＤを受信する顧客ＩＤ受信工程と、受信した顧客ＩＤが有効が否かを判定する顧客ＩＤ有効判定工程と、顧客ＩＤが有効であると判断するとき利用者の乗る車両を特定入出庫口に通して入出庫させる入出庫工程と、を備え、ここで、前記顧客ＩＤは駐車システムにより電気通信機器に与えられるＩＤまたは電気通信機器を操作する利用者に与えられるＩＤであり、前記特定入出庫口は利用者が車両を入出庫させるため入出庫操作をする入出庫口である、ものとした。
【０００９】
上記本発明の構成により、準備工程は、入出庫口の前に位置する利用者の操作する電気通信機器と無線通信可能または音声通信可能な電子機器である外部通信コントロール部を準備する。通信確保工程は、入出庫口の前に位置する利用者の操作する電気通信機器と前記外部通信コントロール部との通信を確保する。顧客ＩＤ受信工程は、前記外部通信コントロール部が通信を確保した電気通信機器から顧客ＩＤを受信する。顧客ＩＤ有効判定工程は、受信した前記顧客ＩＤが有効が否かを判定する。入出庫工程は、顧客ＩＤが有効であると判断するとき利用者の乗る車両を特定入出庫口に通して入出庫させる。ここで、前記顧客ＩＤは駐車システムにより電気通信機器に与えられるＩＤまたは電気通信機器を操作する利用者に与えられるＩＤであり、前記特定入出庫口は利用者が車両を入出庫させるための操作である入出庫操作をする入出庫口である。
その結果、入出庫口の前に位置する利用者を入出庫口を通して駐車場へ入出庫することを許可された者であると認証できる。
【００１０】
以下に、本発明の実施形態に係る駐車場の利用者認証方法を説明する。本発明は、以下に記載した実施形態のいずれか、またはそれらの中の二つ以上が組み合わされた態様を含む。
【００１１】
本発明の実施形態に係る駐車場の利用者認証方法は、前記顧客ＩＤ有効判定工程は、受信した前記顧客ＩＤが通信を確保した電気通信機器の位置する入出庫口を持つ駐車場と予め関連づけられていると判断したとき受信した前記顧客ＩＤが有効であると判定する。
上記の実施形態の構成により、前記顧客ＩＤ有効判定工程は、受信した前記顧客ＩＤが通信を確保した電気通信機器の位置する入出庫口を持つ駐車場と予め関連づけられていると判断したとき受信した前記顧客ＩＤが有効であると判定する。
その結果、駐車場に対応する顧客ＩＤの有効を判断できる。
【００１２】
本発明の実施形態に係る駐車場の利用者認証方法は、前記準備工程が複数の駐車場を各々に管理できるパーキングサーバを用意し、前記顧客ＩＤ有効判定工程は、前記外部通信コントロール部が受信した前記顧客ＩＤと前記外部通信コントロール部の位置する入出庫口を持つ駐車場のパーキングＩＤとを前記パーキングサーバに送信した後で、前記外部通信コントロール部が前記パーキングサーバから前記顧客ＩＤが前記パーキングＩＤに対して有効であることを意味する有効信号を受信したとき前記顧客ＩＤが有効であると判定する、
上記の実施形態の構成により、パーキングサーバが、複数の駐車場を各々に管理できる。前記外部通信コントロール部が受信した前記顧客ＩＤと前記外部通信コントロール部の位置する入出庫口を持つ駐車場のパーキングＩＤとを前記パーキングサーバに送信した後で、前記外部通信コントロール部が前記パーキングサーバから前記顧客ＩＤが前記パーキングＩＤに対して有効であることを意味する有効信号を受信したとき前記顧客ＩＤが有効であると判定する。
その結果、駐車場に対応する顧客ＩＤの有効を判断できる。
【００１３】
本発明の実施形態に係る駐車場の利用者認証方法は、前記顧客ＩＤ有効判定工程は、利用者が入出庫口での入出庫操作を開始したとき前記特定入出庫口を確認し、受信した前記顧客ＩＤが確認した前記特定入出庫口と予め関連づけられているとき受信した前記顧客ＩＤが有効であると判定する、
上記の実施形態の構成により、前記顧客ＩＤ有効判定工程は、利用者が入出庫口での入出庫操作を開始したとき前記特定入出庫口を確認し、受信した前記顧客ＩＤが確認した前記特定入出庫口と予め関連づけられているとき受信した前記顧客ＩＤが有効であると判定する。
その結果、特定入出庫口に対応する顧客ＩＤの有効を判断できる。
【００１４】
本発明の実施形態に係る駐車場の利用者認証方法は、前記顧客ＩＤ有効判定工程は、利用者が入出庫口での入出庫操作を開始したとき前記特定入出庫口を確認し、受信した前記顧客ＩＤが確認した前記特定入出庫口を持つ駐車場と予め関連づけられているとき受信した前記顧客ＩＤが有効であると判定する。
上記の実施形態の構成により、前記顧客ＩＤ有効判定工程は、利用者が入出庫口での入出庫操作を開始したとき前記特定入出庫口を確認し、受信した前記顧客ＩＤが確認した前記特定入出庫口をもつ駐車場と予め関連づけられているとき受信した前記顧客ＩＤが有効であると判定する。
その結果、特定入出庫口を持つ駐車場に対応する顧客ＩＤの有効を判断できる。
【００１５】
本発明の実施形態に係る駐車場の利用者認証方法は、前記外部通信コントロール部が外部通信コントロール部本体と入出庫口の前に設けられる車両を一時停止させる領域である一時停止領域の内側に位置する電気通信機器と無線通信できる指向性をもつ受信機とを有する。
上記の実施形態の構成により、前記外部通信コントロール部が外部通信コントロール部本体と受信機とを有する。前記受信機が、入出庫口の前に設けられる車両を一時停止させる領域である一時停止領域の内側に位置する電気通信機器と無線通信できる指向性をもつ。
その結果、確実に一時停止領域の内側に位置する電気通信機器と通信を確保できる。
【００１６】
本発明の実施形態に係る駐車場の利用者認証方法は、前記外部通信コントロール部が外部通信コントロール部本体と入出庫口の前に設けられる車両を一時停止させる領域である一時停止領域の内側に位置する電気通信機器と無線通信できる指向性をもつ複数の受信機とを有し、複数の受信機が上から見て入出庫口の横幅方向に任意の間隔で配置され、利用者が入出庫口での操作を開始したとき前記特定入出庫口を確認し、複数の受信機のうち単数又は複数の特定受信機の位置の情報である単数又は複数の位置情報を基に特定電気通信機器が確認した前記特定入出庫口の一時停止領域の内側に位置するか否かを判定する位置判定工程と、を備え、ここで、特定電気通信機器は前記外部通信コントロール部と通信を確保できた前記電気通信機器であり、前記特定受信機は前記特定電気通信機器と通信を確保できた特定の受信機であり、前記位置判定工程が前記特定電気通信機器が前記特定入出庫口の一時停止領域の内側に位置すると判定すると前記入出庫工程を実行する、
上記の実施形態の構成により、前記外部通信コントロール部が外部通信コントロール部本体と入出庫口の前に設けられる車両を一時停止させる領域である一時停止領域の内側に位置する電気通信機器と無線通信できる指向性をもつ複数の受信機とを有する。複数の受信機が上から見て入出庫口の横幅方向に任意の間隔で配置される。
位置判定工程は、利用者が入出庫口での操作を開始したとき前記特定入出庫口を確認し、複数の受信機のうち単数又は複数の特定受信機の位置の情報である単数又は複数の位置情報を基に特定電気通信機器が確認した前記特定入出庫口の一時停止領域の内側に位置するか否かを判定する。特定電気通信機器は前記外部通信コントロール部と通信を確保できた前記電気通信機器である。前記特定受信機は前記特定電気通信機器と通信を確保できた特定の受信機である。前記位置判定工程が前記特定電気通信機器が前記特定入出庫口の一時停止領域の内側に位置すると判定すると前記入出庫工程を実行する。
その結果、特定入出庫口の一時停止領域の内側に位置する電気通信機器を操作する利用者の入出庫操作により利用者の乗る車両を特定入出庫口に通して入出庫させることができる。
【００１７】
本発明の実施形態に係る駐車場の利用者認証方法は、前記外部通信コントロール部が外部通信コントロール部本体と入出庫口の前に設けられる車両を一時停止させる領域である一時停止領域の内側に位置する電気通信機器と無線通信できる指向性をもつ複数の受信機とを有し、複数の受信機が上から見て入出庫口の横幅方向に任意の間隔で配置され、複数の受信機のうち単数又は複数の特定受信機の位置の情報である単数又は複数の位置情報を基に、上から見て単数または複数の前記特定受信機の位置の平均位置が前記特定入出庫口の位置に対応するときに、前記特定電気通信機器が前記特定入出庫口の一時停止領域の内側に位置すると判定する、位置判定工程と、を備え、ここで、前記特定電気通信機器は前記外部通信コントロール部と通信を確保できた前記電気通信機器であり、前記特定受信機は前記特定電気通信機器と通信を確保できた特定の受信機であり、前記位置判定工程が前記特定電気通信機器が前記特定入出庫口の一時停止領域の内側に位置すると判定すると前記入出庫工程を実行する。
上記の実施形態の構成により、前記外部通信コントロール部が外部通信コントロール部本体と入出庫口の前に設けられる車両を一時停止させる領域である一時停止領域の内側に位置する電気通信機器と無線通信できる指向性をもつ複数の受信機とを有する。複数の受信機が上から見て入出庫口の横幅方向に任意の間隔で配置される。位置判定工程は、複数の受信機のうち単数又は複数の特定受信機の位置の情報である単数又は複数の位置情報を基に、上から見て単数または複数の前記特定受信機の位置の平均位置が前記特定入出庫口の位置に対応するときに、前記特定電気通信機器が前記特定入出庫口の一時停止領域の内側に位置すると判定する。前記特定電気通信機器は前記外部通信コントロール部と通信を確保できた前記電気通信機器である。前記特定受信機は前記特定電気通信機器と通信を確保できた特定の受信機である。前記位置判定工程が前記特定電気通信機器が前記特定入出庫口の一時停止領域の内側に位置すると判定すると前記入出庫工程を実行する。
【００１８】
本発明の実施形態に係る駐車場の利用者認証方法は、前記外部通信コントロール部が外部通信コントロール部本体と入出庫口の前に設けられる車両を一時停止させる領域である一時停止領域の内側に位置する電気通信機器と無線通信できる指向性をもつ複数の受信機とを有し、複数の受信機が上から見て入出庫口の横幅方向に任意の間隔で配置され、利用者が入出庫口での操作を開始したとき前記特定入出庫口を確認し、複数の受信機のうち単数又は複数の特定受信機の位置の情報である単数又は複数の位置情報を基に特定電気通信機器が確認した前記特定入出庫口の一時停止領域の内側に位置するか否かを判定する位置判定工程と、を備え、ここで、特定電気通信機器は前記外部通信コントロール部と通信を確保できた前記電気通信機器であり、前記特定受信機は前記特定電気通信機器と通信を確保できた特定の受信機であり、前記位置判定工程が前記特定電気通信機器が前記特定入出庫口の一時停止領域の内側に位置すると判定すると前記入出庫工程を実行する、
上記の実施形態の構成により、前記外部通信コントロール部が外部通信コントロール部本体と入出庫口の前に設けられる車両を一時停止させる領域である一時停止領域の内側に位置する電気通信機器と無線通信できる指向性をもつ複数の受信機とを有する。複数の受信機が上から見て入出庫口の横幅方向に任意の間隔で配置される。
位置判定工程は、利用者が入出庫口での操作を開始したとき前記特定入出庫口を確認し、、複数の受信機のうち単数又は複数の特定受信機の位置の情報である単数又は複数の位置情報を基に特定電気通信機器が確認した前記特定入出庫口の一時停止領域の内側に位置するか否かを判定する。特定電気通信機器は前記外部通信コントロール部と通信を確保できた前記電気通信機器である。前記特定受信機は前記特定電気通信機器と通信を確保できた特定の受信機である。前記位置判定工程が前記特定電気通信機器が前記特定入出庫口の一時停止領域の内側に位置すると判定すると前記入出庫工程を実行する。
その結果、特定入出庫口の一時停止領域の内側に位置する電気通信機器を操作する利用者の入出庫操作により利用者の乗る車両を特定入出庫口に通して入出庫させることができる。
【００１９】
本発明の実施形態に係る駐車場の利用者認証方法は、前記外部通信コントロール部が外部通信コントロール部本体と入出庫口の前に設けられる車両を一時停止させる領域である一時停止領域の内側に位置する電気通信機器と無線通信できる指向性をもつ複数の受信機とを有し、複数の受信機が上から見て入出庫口の横幅方向に任意の間隔で配置され、利用者が入出庫口での操作を開始したとき前記特定入出庫口を確認し、複数の受信機のうち単数又は複数の特定受信機の位置の情報である単数又は複数の位置情報を基に、上から見て単数または複数の前記特定受信機の位置の平均位置が確認した前記特定入出庫口の位置に対応するときに、前記特定電気通信機器が前記特定入出庫口の一時停止領域の内側に位置すると判定する、位置判定工程と、を備え、ここで、前記特定電気通信機器は前記外部通信コントロール部と通信を確保できた前記電気通信機器であり、前記特定受信機は前記特定電気通信機器と通信を確保できた特定の受信機であり、前記位置判定工程が前記特定電気通信機器が前記特定入出庫口の一時停止領域の内側に位置すると判定すると前記入出庫工程を実行する。
上記の実施形態の構成により、前記外部通信コントロール部が外部通信コントロール部本体と入出庫口の前に設けられる車両を一時停止させる領域である一時停止領域の内側に位置する電気通信機器と無線通信できる指向性をもつ複数の受信機とを有する。複数の受信機が上から見て入出庫口の横幅方向に任意の間隔で配置される。位置判定工程は、利用者が入出庫口での操作を開始したとき前記特定入出庫口を確認し、複数の受信機のうち単数又は複数の特定受信機の位置の情報である単数又は複数の位置情報を基に、上から見て単数または複数の前記特定受信機の位置の平均位置が確認した前記特定入出庫口の位置に対応するときに、前記特定電気通信機器が前記特定入出庫口の一時停止領域の内側に位置すると判定する。前記特定電気通信機器は前記外部通信コントロール部と通信を確保できた前記電気通信機器である。前記特定受信機は前記特定電気通信機器と通信を確保できた特定の受信機である。前記位置判定工程が前記特定電気通信機器が前記特定入出庫口の一時停止領域の内側に位置すると判定すると前記入出庫工程を実行する。
その結果、特定入出庫口の一時停止領域の内側に位置する電気通信機器を操作する利用者の入出庫操作により利用者の乗る車両を特定入出庫口に通して入出庫させることができる。
【発明の効果】
【００２０】
以上説明したように、本発明に係る複数の車両を駐車場に駐車させる駐車システムは、その構成により、以下の効果を有する。
入出庫口の前に位置する利用者の操作する電気通信機器と通信可能な外部通信コントロール部を準備し、入出庫口の前に位置する利用者の操作する電気通信機器と前記外部通信コントロール部との通信を確保し、通信を確保した電気通信機器から電気通信機器または利用者に与えられる顧客ＩＤを受信し、受信した前記顧客ＩＤが有効が否かを判定し、顧客ＩＤが有効であると判断するとき利用者の乗る車両を前記特定入出庫口に通して入出庫させる様にしたので、入出庫口の前に位置する利用者を入出庫口を通して駐車場へ入出庫することを許可された者であると認証できる。
また、受信した前記顧客ＩＤが通信を確保した電気通信機器の位置する入出庫口を持つ駐車場と予め関連づけられていると判断したとき受信した前記顧客ＩＤが有効であると判定する様にしたので、駐車場に対応する顧客ＩＤの有効を判断できる。
また、外部通信コントロール部が、受信した前記顧客ＩＤとパーキングＩＤとをパーキングサーバに送信し、パーキングサーバから顧客ＩＤがパーキングＩＤに対して有効であることを意味する有効信号を受信したとき、受信した前記顧客ＩＤが有効であると判定する様にしたので、駐車場に対応する顧客ＩＤの有効を判断できる。
また、利用者が入出庫口での入出庫操作を開始したとき前記特定入出庫口を確認し、受信した前記顧客ＩＤが確認した前記特定入出庫口と予め関連づけられているとき、受信した前記顧客ＩＤが有効であると判定する様にしたので、特定入出庫口に対応する顧客ＩＤの有効を判断できる。
また、利用者が入出庫口での入出庫操作を開始したとき前記特定入出庫口を確認し、受信した前記顧客ＩＤが確認した前記特定入出庫口と予め関連づけられているとき、受信した前記顧客ＩＤが有効であると判定する様にしたので、特定入出庫口を持つ駐車場に対応する顧客ＩＤの有効を判断できる。
また、入出庫口の前に設けられる車両を一時停止させる領域である一時停止領域の内側に位置する電気通信機器と通信できる指向性をもつ受信機を用意する様にしたので、一時停止領域の内側に位置する電気通信機器と通信を確実に確保できる。
また、入出庫口の前に設けられる一時停止領域の内側に位置する電気通信機器と通信できる指向性をもつ複数の受信機を上から見て上から見て入出庫口の横幅方向に任意の間隔で配置し、通信を確保できた単数又は複数の特定受信機の位置の情報である単数又は複数の位置情報を基に特定電気通信機器が前記特定入出庫口の一時停止領域の内側に位置するか否かを判定し、前記特定電気通信機器が前記特定入出庫口の一時停止領域の内側に位置すると判定すると前記入出庫工程を実行する様にしたので、特定入出庫口の一時停止領域の内側に位置する電気通信機器を操作する利用者の入出庫操作により利用者の乗る車両を特定入出庫口に通して入出庫させることができる。
また、入出庫口の前に設けられる一時停止領域の内側に位置する電気通信機器と通信できる指向性をもつ複数の受信機を上から見て入出庫口の横幅方向に任意の間隔で配置し、通信を確保できた単数又は複数の特定受信機の位置の情報である単数又は複数の位置情報を基に、上から見て単数または複数の前記特定受信機の位置の平均位置が前記特定入出庫口の位置に対応するときに、前記特定電気通信機器が前記特定入出庫口の一時停止領域の内側に位置すると判定し前記入出庫工程を実行する様にしたので、特定入出庫口の一時停止領域の内側に位置する電気通信機器を操作する利用者の入出庫操作により利用者の乗る車両を特定入出庫口に通して入出庫させることができる。
また、入出庫口の前に設けられる一時停止領域の内側に位置する電気通信機器と通信できる指向性をもつ複数の受信機を上から見て入出庫口の横幅方向に任意の間隔で配置し、利用者が入出庫口での入出庫操作を開始したとき前記特定入出庫口を確認し、通信を確保できた単数又は複数の特定受信機の位置の情報である単数又は複数の位置情報を基に特定電気通信機器が確認した前記特定入出庫口の一時停止領域の内側に位置するか否かを判定し、前記特定電気通信機器が前記特定入出庫口の一時停止領域の内側に位置すると判定すると前記入出庫工程を実行する様にしたので、特定入出庫口の一時停止領域の内側に位置する電気通信機器を操作する利用者の入出庫操作により利用者の乗る車両を特定入出庫口に通して入出庫させることができる。
また、入出庫口の前に設けられる一時停止領域の内側に位置する電気通信機器と通信できる指向性をもつ複数の受信機を上から見て入出庫口の横幅方向に任意の間隔で配置し、利用者が入出庫口での入出庫操作を開始したとき前記特定入出庫口を確認し、通信を確保できた単数又は複数の特定受信機の位置の情報である単数又は複数の位置情報を基に、上から見て単数または複数の前記特定受信機の位置の平均位置が確認した前記特定入出庫口の位置に対応するときに、前記特定電気通信機器が前記特定入出庫口の一時停止領域の内側に位置すると判定し前記入出庫工程を実行する様にしたので、特定入出庫口の一時停止領域の内側に位置する電気通信機器を操作する利用者の入出庫操作により利用者の乗る車両を特定入出庫口に通して入出庫させることができる。
その結果、車両を駐車場に駐車させるのに便利な駐車場の利用者認証方法を提供できる。
【図面の簡単な説明】
【００２１】
【図１】本発明の実施形態に係る駐車場の斜視図である。
【図２】本発明の実施形態に係る駐車場の概念図である。
【図３】本発明の実施形態に係る外部通信コントロール部の作用作用図である。
【図４】本発明の実施形態に係る電気通信機器の作用説明図である。
【図５】本発明の第一の実施形態に係る駐車場の構造説明図である。
【図６】本発明の第一の実施形態に係る駐車場の利用者認証方法の手順図である。
【図７】本発明の第二の実施形態に係る駐車場の構造説明図である。
【図８】本発明の第二の実施形態に係る駐車場の利用者認証方法の手順図である。
【図９】本発明の実施形態に係る駐車場の入出庫の通信データ対応図である。
【図１０】本発明の実施形態に係る駐車システムの入庫操作機能図である。
【図１１】本発明の実施形態に係る駐車システムの出庫操作機能図である。
【図１２】各種の実施形態にかかる駐車場の概念図である。
【発明を実施するための形態】
【００２２】
以下、本発明を実施するための形態を、図面を参照して説明する。
【００２３】
最初に、本発明の実施形態にかかる駐車方法を、図を基に、説明する。
図１は、本発明の実施形態に係る駐車場の斜視図である。図２は、本発明の実施形態に係る駐車場の概念図である。図３は、本発明の実施形態に係る外部通信コントロール部の作用作用図である。図４は、本発明の実施形態に係る電気通信機器の作用説明図である。
【００２４】
最初に、本発明の実施形態にかかる駐車システムを説明する。
本発明の実施形態にかかる駐車システムは、駐車場１２０と外部通信コントロール部１２５と複数の電気通信機器１３０とで構成される。
本発明の実施形態にかかる駐車システムは、複数の駐車場１２０と複数の外部通信コントロール部１２５と複数の電気通信機器１３０とで構成されてもよい。
駐車場１２０は、複数の車両５０を駐車させることができるものである。
駐車場１２０は、駐車場本体１２１と駐車場制御装置１２４とで構成される。
駐車場本体１２１は、入出庫空間１２２と入出庫扉１２３とを設けられる。
入出庫扉１２３は、入出庫空間１２２の入出庫口を開閉できる扉である。
複数の車両５０は、複数の駐車場１２０に各々に駐車できる。
駐車場１２０は、駐車場制御装置１２４に制御される。
複数の外部通信コントロール部１２５は、複数の駐車場制御装置１２４に各々に電気的に接続される。
外部通信コントロール部１２５は、駐車場制御装置１２４に電気的に接続される。
外部通信コントロール部１２５は、入出庫口の前に位置する利用者の操作する電気通信機器と通信可能なものである。
外部通信コントロール部１２５は、入出庫口の前に位置する利用者の操作する電気通信機器と無線通信可能なものであってもよい。。
外部通信コントロール部１２５は、入出庫口の前に位置する利用者の操作する電気通信機器と音声通信可能なものであってもよい。
無線通信は、短距離無線通信であってもよい。
複数の電気通信機器１３０は、複数の車両に各々に乗る利用者の操作するものである。
電気通信機器１３０は、車両に乗る利用者の操作するものである。
例えば、電気通信機器１３０は、カーナビ、携帯端末、その他である。
携帯端末は、スマートフォン、タブレット、パソコン、その他である。
電気中心網１４０は、インターネット、携帯電話網、その他である。
図２（Ａ）は、駐車システムの概念を示す。
【００２５】
本発明の実施形態にかかる駐車システムは、パーキングサーバ１１０と複数の駐車場１２０と複数の外部通信コントロール部１２５と複数の電気通信機器１３０とで構成されてもよい。
駐車場１２０は、複数の車両５０を駐車させることができるものである。
駐車場１２０は、駐車場本体１２１と駐車場制御装置１２４とで構成される。
複数の車両５０は、複数の駐車場１２０に各々に駐車できる。
駐車場１２０は、駐車場本体１２１と駐車場制御装置１２４とで構成される。
駐車場本体１２１は、入出庫空間１２２と入出庫扉１２３とを設けられる。
入出庫扉１２３は、入出庫空間１２２の入出庫口を開閉できる扉である。
複数の車両５０は、複数の駐車場１２０に各々に駐車できる。
駐車場は、駐車場制御装置１２４に制御される。
複数の車両５０は、複数の駐車場１２０に各々に駐車できる。
駐車場は、駐車場制御装置１２４に制御される。
複数の外部通信コントロール部１２５は、複数の駐車場制御装置１２４に各々に電気的に接続される。
外部通信コントロール部１２５は、駐車場制御装置１２４に電気的に接続される。
外部通信コントロール部１２５は、入出庫口の前に位置する利用者の操作する電気通信機器と通信可能なものである。
外部通信コントロール部１２５は、入出庫口の前に位置する利用者の操作する電気通信機器と無線通信可能なものであってもよい。。
外部通信コントロール部１２５は、入出庫口の前に位置する利用者の操作する電気通信機器と音声通信可能なものであってもよい。
無線通信は、短距離無線通信であってもよい。
外部通信コントロール部１２５は、パーキングサーバ１１０と通信可能である。
外部通信コントロール部１２５は、電気通信網１４０を介してパーキングサーバ１１０と通信可能であってもよい。
パーキングサーバ１１０は、複数の駐車場１２０を各々に制御できる。
複数の電気通信機器１３０は、複数の車両に各々に乗る利用者の操作するものである。
電気通信機器１３０は、車両に乗る利用者の操作するものである。
電気通信機器１３０は、電子通信網を介してパーキングサーバ１１０と通信できる。
例えば、電気通信機器１３０は、カーナビ、携帯端末、その他である。
携帯端末は、スマートフォン、タブレット、パソコン、その他である。
電気中心網１４０は、インターネット、携帯電話網、その他である。
図２（Ｂ）は、駐車システムの概念を示す。
【００２６】
パーキングサーバ１１０は、ＣＰＵ、メモリ、記憶装置、各種のＩ／Ｏで構成される。
パーキングサーバ１１０は、Ｉ／Ｏを介して電子通信網１４０にアクセスできる。
パーキングサーバは、パーキングサーバ用のソフトウエアがインストールされる。
パーキングサーバ用のソフトウエアは、パーキングサーバ１１０に各種の手順を実現させる。
パーキングサーバ１１０は、複数の駐車場１２０を集中管理できる。
【００２７】
電気通信機器１３０は、ＣＰＵ、メモリ、記憶装置、各種のＩ／Ｏで構成される。
電気通信機器１３０は、Ｉ／Ｏを介して電子通信網１４０にアクセスできる。
電気通信機器１３０は、電気通信機器用のソフトウエアがインストールされる。
電気通信機器用のソフトウエアは、電気通信機器１３０に各種の手順を実現させる。
電気通信機器１３０は、利用者６０により操作される。
例えば、電気通信機器１３０は、スマートフォン、携帯タブレット、パソコン、等である。
例えば、電気通信機器１３０は、ナビゲーション装置である。
【００２８】
駐車場は、複数の車両５０を駐車空間に駐車させる。
駐車場は、入出庫口の前に一時的に車両を停止させる一時停止空間Ｋをもつ。
駐車場は、車両５０を入出庫口を通過させて入出庫空間にいれる。
駐車場は、車両５０を入出庫空間と駐車空間との間で搬送できてもよい。
入出庫空間１２２は、利用者が車両を駐車場に入出庫させる空間である。
通常、入出庫扉１２３が入出庫空間１２２の入出庫口に設けられる。
入庫するとき、入出庫扉が開く。利用者６０は、車両を開いた入出庫扉の開いた入出庫口から入出庫空間にいれる。利用者６０が入出庫空間で車両からおりて。入出庫扉の開いた入出庫口を通過して入出庫空間からでる。入出庫扉が閉まる。駐車場が、車両５０を入出庫空間から駐車空間に移送する。
出庫するとき、駐車場が出庫させたい車両を駐車空間から入出庫空間に移送する。入出庫扉が開く。利用者６０が、入出庫扉の開いた入出庫口を通過して入出庫空間に入る。利用者６０が、車両５０に乗り、車両５０が入出庫扉の開いた入出庫口を通過して入出庫空間からでる。入出庫扉が閉まる。
図１は、駐車場１２０と入出庫空間１２２の前に止まる車両５０との様子を示す。
【００２９】
駐車場１２０は、駐車場本体１２１と制御装置１２４とで構成される。
駐車場本体１２１は、駐車場の本体である。
外部通信コントロール部１２５は、入出庫口の前に位置する利用者の操作する電気通信機器と通信可能である。
図３の（Ａ）は、横から見た駐車場１２０と外部通信コントロール部１２５と車両５０と電気通信機器１３０の様子を示す。
図３（Ｂ）は、上から見た駐車場１２０と外部通信コントロール部１２５と電気通信機器１３０の様子を示す。
図３（Ｂ）の破線は、外部通信コントロール部１２５の通信指向性を示す。
外部通信コントロール部１２５が図示する通信指向性を持つことにより、外部通信コントロール部１２５は、その外部通信コントロール部１２５が設けられる入出庫空間の前に位置する車両に乗る利用者の操作する電気通信機器と通信できる。
外部通信コントロール部１２５と電気通信機器１３０は、電波、音響等の媒体を用いて近距離通信をする。
例えば、外部通信コントロール部１２５と電気通信機器１３０とは、無線通信をもちいて通信をする。
例えば、外部通信コントロール部１２５と電気通信機器１３０は、ブルートゥース（登録商標）規格をもちいて電波通信をする。
例えば、外部通信コントロール部１２５と電気通信機器１３０は、音響通信をする。
【００３０】
図４は、電気通信機器１３０とが音響通信をする様子を示す。
図４は、電気通信機器１３０が外部通信コントロール部１２５に認証要求をし、外部通信コントロール部１２５が駐車場１２０に認証要求を巡したことを通知し、駐車場１２０が外部通信コントロール部１２５に認証要求の結果を応答し、外部通信コントロール部１２５が電子通信網１４０に認証要求の結果を応答し、電子通信網１４０が電気通信機器１３０へ認証要求の結果を応答する様子を示す。
電子通信網１４０が電気通信機器１３０へ応答した認証要求の結果がエラーになっているいとき、電気通信機器１３０が画面及び音または音声にてエラー結果を通知する。
【００３１】
最初に  本発明の第一の実施形態にかかる駐車場の利用者認証方法を、図を基に、説明する。
図５は、本発明の第一の実施形態に係る駐車場の構造説明図である。図６は、本発明の第一の実施形態に係る駐車場の利用者認証方法の手順図である。
【００３２】
第一の実施形態にかかる駐車場の利用者認証方法は、電気通信機器１３０を操作する利用者の乗る車両５０を入出庫口１２３を通して受入れて駐車させる方法である。
第一の実施形態にかかる駐車場の利用者認証方法は、準備工程Ｓ１０と通信確保工程Ｓ２０と顧客ＩＤ受信工程Ｓ３０と顧客ＩＤ有効判定工程Ｓ４０と入出庫工程Ｓ６０とで構成される。
【００３３】
準備工程Ｓ１０は、外部通信コントロール部１２５を準備する工程である。
準備工程Ｓ１０は、外部通信コントロール部１２５とパーキングサーバ１１０とを準備してもよい。
【００３４】
外部通信コントロール部１２５は、入出庫口１２３の前に位置する利用者の操作する電気通信機器１３０と無線通信可能または音声通信可能な電子機器である。
外部通信コントロール部１２５は、入出庫口１２３の前に位置する車両に乗った利用者の操作する電気通信機器１３０と無線通信可能または音声通信可能な電子機器である。
外部通信コントロール部１２５は、ＣＰＵ、メモリ、Ｉ／Ｏ、ソフトウエアとで構成される。
外部通信コントロール部１２５は、駐車場制御装置１２４と通信可能である。
外部通信コントロール部１２５は、駐車場制御装置１２４に電気的に接続されても良い。
外部通信コントロール部１２５が、外部通信コントロール部本体と受信機とで構成されてもよい。
受信機は、入出庫口の前に設けられる車両を一時停止させる領域である一時停止領域Ｋの内側に位置する電気通信機器と通信できる指向性をもつ。
受信機は、入出庫扉１２３の近傍に設けられても良い。
受信機の指向性は、一時停止領域Ｋの内部をカバーしていてもよい。
一時停止領域Ｋは、入出庫口の前に設けられる車両を一時停止させる領域である。
図３（Ｂ）は、受信機の指向性の一例を示す。
【００３５】
パーキングサーバ１１０は、複数の駐車場を管理できる。
パーキングサーバ１１０は、複数の駐車場を各々に制御できてもよい。
パーキングサーバ１１０は、顧客ＩＤとパーキングＩＤとを関連づけて記憶しても良い。
顧客ＩＤを与えられる利用者は、顧客ＩＤに関連づけられるパーキングＩＤを与えられる駐車場への入出庫を許可される。
【００３６】
通信確保工程Ｓ２０は、入出庫口の前に位置する利用者の操作する電気通信機器１３０と外部通信コントロール部１２５との通信を確保する工程である。
電気通信機器１３０と外部通信コントロール部１２５とは、所定の通信プロトコルにより通信を確保する。
電気通信機器１３０が、外部通信コントロール部１２５と通信可能な領域に入ると自動的に通信を確保しても良い。
例えば、利用者が車両を一時停止領域Ｋに入れると、利用者の操作する電気通信機器１３０が外部通信コントロール部１２０との通輪可能な領域に入り、電気通信機器１３０と外部通信コントロール部１２５とが自動的に通信を確保する。
電気通信機器１３０は、専用のアプリケーションをインストールされていてもよい。
例えば、車両を一時停止領域の内側にいれた利用者が電気通信機器１３０のアプリケーションを起動すると、電気通信機器１３０と外部通信コントロール部１２５とが自動的に通信を確保する。
一時停止領域Ｋは、入出庫口の前に設けられる車両を一時停止させる領域である。
【００３７】
顧客ＩＤ受信工程Ｓ３０は、通信を確保した電気通信機器から顧客ＩＤを受信する工程である。
顧客ＩＤは、利用者に与えられ、利用者を一意的に特定できるＩＤである。
顧客ＩＤは、利用者の操作する電気通信機器１３０に与えられ、利用者の操作する電気通信機器１３０を一意的に特定できるＩＤであってもよい。
電気通信機器１３０と外部通信コントロール部１２５との通信が確保されると、電気通信機器１３０が自動的に外部通信コントロール部１２５へ顧客ＩＤを送信してもよい。
電気通信機器１３０と外部通信コントロール部１２５との通信が確保されたあと、利用者が電気通信機器１３０のアプリケーションを操作すると、電気通信機器１３０が外部通信コントロール部１２５へ顧客ＩＤを送信してもよい。
【００３８】
顧客ＩＤ有効判定工程Ｓ４０は、受信した顧客ＩＤが有効が否かを判定する工程である。
以下に、４つのタイプの顧客ＩＤ有効判定工程Ｓ４０を説明する。
【００３９】
（第一のタイプの顧客ＩＤ有効判定工程Ｓ４０）
顧客ＩＤ有効判定工程Ｓ４０は、受信した顧客ＩＤが通信を確保した電気通信機器の位置する入出庫口を持つ駐車場と予め関連づけられていると判断したとき受信した顧客ＩＤが有効であると判定してもよい。
顧客ＩＤ有効判定工程Ｓ４０は、外部通信コントロール部１２５が受信した顧客ＩＤが通信を確保した電気通信機器の位置する入出庫口を持つ駐車場と予め関連づけられていると判断したとき受信した顧客ＩＤが有効であると判定してもよい。
【００４０】
（第二のタイプの顧客ＩＤ有効判定工程Ｓ４０）
顧客ＩＤ有効判定工程Ｓ４０は、外部通信コントロール部１２５が受信した顧客ＩＤと外部通信コントロール部１２５の位置する入出庫口を持つ駐車場のパーキングＩＤとをパーキングサーバ１１０に送信した後で、外部通信コントロール部１２５がパーキングサーバ１１０から顧客ＩＤがパーキングＩＤに対して有効であることを意味する有効信号を受信したとき、顧客ＩＤが有効であると判定してもよい。
パーキングサーバ１１０は、外部コントローブ部１２５から顧客ＩＤとパーキングＩＤを受信すると、顧客ＩＤとパーキングＩＤをが予め関連づけられているか否かを調査する。
パーキングサーバ１１０は、顧客ＩＤとパーキングＩＤをが予め関連づけられているとき外部通信コントロール部１２５へ有効信号を送信する。
パーキングサーバ１１０は、顧客ＩＤとパーキングＩＤをが予め関連づけられていないとき外部通信コントロール部１２５へ有効信号を送信しない。無効信号を送信してもよい。
【００４１】
（第三のタイプの顧客ＩＤ有効判定工程Ｓ４０）
顧客ＩＤ有効判定工程Ｓ４０は、利用者が入出庫口での入出庫操作を開始したとき特定入出庫口を確認し、受信した顧客ＩＤが確認した特定入出庫口と予め関連づけられているとき受信した前記顧客ＩＤが有効であると判定してもよい。
【００４２】
（第四のタイプの顧客ＩＤ有効判定工程Ｓ４０）
顧客ＩＤ有効判定工程Ｓ４０は、利用者が入出庫口での入出庫操作を開始したとき特定入出庫口を確認し、受信した顧客ＩＤが確認した特定入出庫口を持つ駐車場と予め関連づけられているとき受信した顧客ＩＤが有効であると判定してっもよい。
【００４３】
入出庫工程Ｓ６０は、顧客ＩＤが有効であると判断するとき利用者の乗る車両を特定入出庫口に通して入出庫させる工程である。
特定入出庫口は利用者が車両を入出庫させるための操作である入出庫操作をする入出庫口である。
利用者は、駐車場に設置される操作盤に対して直接に入出庫操作をしてもよい。
利用者は、電気通信機器１３０のアプリケーションに表れるバーチャルな操作盤を操作して、駐車場に入出庫操作してもよい。
利用者は、電気通信機器１３０のアプリケーションに表れるバーチャルな操作盤を操作して、パーキングサーバ１１０を介して駐車場に入出庫操作してもよい。
【００４４】
入出庫操作の手順は、後でまとめて説明する。
【００４５】
次に、本発明の第二の実施形態にかかる駐車場の利用者認証方法を、図を基に説明する。
図７は、本発明の第二の実施形態に係る駐車場の構造説明図である。図８は、本発明の第二の実施形態に係る駐車場の利用者認証方法の手順図である。
【００４６】
第二の実施形態にかかる駐車場の利用者認証方法は、電気通信機器を操作する利用者の乗る車両を入出庫口を通して受入れて駐車空間に駐車させる方法である。
第二の実施形態にかかる駐車場の利用者認証方法は、準備工程Ｓ１０と通信確保工程Ｓ２０と顧客ＩＤ受信工程Ｓ３０と顧客ＩＤ有効判定工程Ｓ４０と位置判定工程Ｓ５０と入出庫工程Ｓ６０とで構成される。
【００４７】
準備工程Ｓ１０は、外部通信コントロール部１２５を準備する工程である。
準備工程Ｓ１０は、外部通信コントロール部１２５とパーキングサーバ１１０とを準備してもよい。
【００４８】
外部通信コントロール部１２５は、出庫口の前に位置する利用者の操作する電気通信機器と無線通信可能または音声通信可能な電子機器である。
外部通信コントロール部１２５は、ＣＰＵ、メモリ、Ｉ／Ｏ、ソフトウエアとで構成される、。
外部通信コントロール部１２５が、外部通信コントロール部本体と複数の受信機とで構成される。
受信機は、入出庫口の前に設けられる車両を一時停止させる領域である一時停止領域Ｋの内側に位置する電気通信機器と通信できる指向性をもつ。
受信機は、入出庫扉の近傍に設けられても良い。
受信機の指向性は、一時停止領域Ｋの内部をカバーしていてもよい。
一時停止領域Ｋは、入出庫口の前に設けられる車両を一時停止させる領域である。
複数の受信機が、上から見て入出庫口の横幅方向に任意の間隔で配置される。
例えば、複数の受信機が上から見て入出庫口の中央をセンターとして左右方向に任意のの間隔で配置される。
例えば、複数の受信機が上から見て入出庫口の中央をセンターとして左右方向に所定の間隔で配置される。
【００４９】
パーキングサーバ１１０は、複数の駐車場を各々に管理できる。
パーキングサーバ１１０は、複数の駐車場を各々に制御できてもよい。
パーキングサーバ１１０は、パーキングＩＤとパーキングＩＤとを関連づけて記憶しても良い。
顧客ＩＤを与えられる利用者は、顧客ＩＤに関連づけられるパーキングＩＤを与えられる駐車場への入出庫を許可される。
【００５０】
通信確保工程Ｓ２０は、入出庫口の前に位置する利用者の操作する電気通信機器１３０と外部通信コントロール部１２５との通信を確保する工程である。
電気通信機器１３０と外部通信コントロール部１２５とは、所定の通信プロトコルにより通信を確保する。
電気通信機器１３０が、外部通信コントロール部１２５と通信可能な領域に入ると自動的に通信を確保しても良い。
例えば、利用者が車両を一時停止領域Ｋに入れると、利用者の操作する電気通信機器１３０が外部通信コントロール部１２０との通輪可能な領域に入り、電気通信機器１３０と外部通信コントロール部１２５とが自動的に通信を確保する。
電気通信機器１３０は、専用のアプリケーションをインストールされていてもよい。
例えば、車両を一時停止領域の内側にいれた利用者が電気通信機器１３０のアプリケーションを起動すると、電気通信機器１３０と外部通信コントロール部１２５とが自動的に通信を確保する。
一時停止領域Ｋは、入出庫口の前に設けられる車両を一時停止させる領域である。
【００５１】
顧客ＩＤ受信工程Ｓ３０は、通信を確保した電気通信機器から顧客ＩＤを受信する工程である。
顧客ＩＤは、利用者に与えられ、利用者を一意的に特定できるＩＤである。
顧客ＩＤは、利用者の操作する電気通信機器１３０に与えられ、利用者の操作する電気通信機器１３０を一意的に特定できるＩＤであってもよい。
電気通信機器１３０と外部通信コントロール部１２５との通信が確保されると、電気通信機器１３０が自動的に外部通信コントロール部１２５へ顧客ＩＤを送信してもよい。
電気通信機器１３０と外部通信コントロール部１２５との通信が確保されたあと、利用者が電気通信機器１３０のアプリケーションを操作すると、電気通信機器１３０が外部通信コントロール部１２５へ顧客ＩＤを送信してもよい。
【００５２】
顧客ＩＤ有効判定工程Ｓ４０は、受信した顧客ＩＤが有効が否かを判定する工程である。
以下に、４つのタイプの顧客ＩＤ有効判定工程Ｓ４０を説明する。
【００５３】
（第二のタイプの顧客ＩＤ有効判定工程Ｓ４０）
顧客ＩＤ有効判定工程Ｓ４０は、受信した顧客ＩＤが通信を確保した電気通信機器の位置する入出庫口を持つ駐車場と予め関連づけられていると判断したとき受信した顧客ＩＤが有効であると判定してもよい。
顧客ＩＤ有効判定工程Ｓ４０は、外部通信コントロール部１２５が受信した顧客ＩＤが通信を確保した電気通信機器の位置する入出庫口を持つ駐車場と予め関連づけられていると判断したとき受信した顧客ＩＤが有効であると判定してもよい。
【００５４】
（第二のタイプの顧客ＩＤ有効判定工程Ｓ４０）
顧客ＩＤ有効判定工程Ｓ４０は、外部通信コントロール部１２５が受信した顧客ＩＤと外部通信コントロール部１２５の位置する入出庫口を持つ駐車場のパーキングＩＤとをパーキングサーバ１１０に送信した後で、外部通信コントロール部１２５がパーキングサーバ１１０から顧客ＩＤがパーキングＩＤに対して有効であることを意味する有効信号を受信したとき、顧客ＩＤが有効であると判定してもよい。
パーキングサーバ１１０は、外部コントローブ部１２５から顧客ＩＤとパーキングＩＤを受信すると、顧客ＩＤとパーキングＩＤをが予め関連づけられているか否かを調査する。
パーキングサーバ１１０は、顧客ＩＤとパーキングＩＤをが予め関連づけられているとき外部通信コントロール部１２５へ有効信号を送信する。
パーキングサーバ１１０は、顧客ＩＤとパーキングＩＤをが予め関連づけられていないとき外部通信コントロール部１２５へ有効信号を送信しない。無効信号を送信してもよい。
【００５５】
（第三のタイプの顧客ＩＤ有効判定工程Ｓ４０）
顧客ＩＤ有効判定工程Ｓ４０は、利用者が入出庫口での入出庫操作を開始したとき特定入出庫口を確認し、受信した顧客ＩＤが確認した特定入出庫口と予め関連づけられているとき受信した前記顧客ＩＤが有効であると判定してもよい。
【００５６】
（第四のタイプの顧客ＩＤ有効判定工程Ｓ４０）
顧客ＩＤ有効判定工程Ｓ４０は、利用者が入出庫口での入出庫操作を開始したとき特定入出庫口を確認し、受信した顧客ＩＤが確認した特定入出庫口を持つ駐車場と予め関連づけられているとき受信した顧客ＩＤが有効であると判定してっもよい。
【００５７】
位置判定工程Ｓ５０は、複数の受信機のうちの単数又は複数の特定受信機の位置の情報である単数又は複数の位置情報を基に、特定電気通信機器が特定入出庫口の一時停止領域の内側に位置するか否かを判定する工程である。
位置判定工程Ｓ５０は、複数の受信機のうちの単数又は複数の特定受信機の位置の情報である単数又は複数の位置情報を基に、上から見て単数または複数の特定受信機の位置の平均位置が特定入出庫口の位置に対応するときに、特定電気通信機器が特定入出庫口の一時停止領域の内側に位置すると判定する。
位置判定工程Ｓ５０は、利用者が入出庫口での操作を開始したとき前記特定入出庫口を確認し、複数の受信機のうちの単数又は複数の特定受信機の位置の情報である単数又は複数の位置情報を基に、特定電気通信機器が確認した特定入出庫口の一時停止領域の内側に位置するか否かを判定する工程である。
位置判定工程Ｓ５０は、利用者が入出庫口での操作を開始したとき前記特定入出庫口を確認し、複数の受信機のうちの単数又は複数の特定受信機の位置の情報である単数又は複数の位置情報を基に、上から見て単数または複数の特定受信機の位置の平均位置が確認した特定入出庫口の位置に対応するときに、特定電気通信機器が特定入出庫口の一時停止領域の内側に位置すると判定する。
ここで、
特定電気通信機器は外部通信コントロール部と通信を確保できた電気通信機器である。
特定受信機は、特定電気通信機器と通信を確保できた特定の受信機である。
特定入出庫口は、利用者が車両を入出庫させるための操作である入出庫操作をする入出庫口である。
【００５８】
位置判定工程Ｓ５０が特定電気通信機器１３０が特定入出庫口の一時停止領域Ｋの内側に位置すると判定すると入出庫工程Ｓ６０を実行する。
【００５９】
入出庫工程Ｓ６０は、顧客ＩＤが有効であると判断するとき利用者の乗る車両を特定入出庫口に通して入出庫させる工程である。
特定入出庫口は利用者が車両を入出庫させるための操作である入出庫操作をする入出庫口である。
利用者は、駐車場に設置される操作盤に対して直接に入出庫操作をしてもよい。
利用者は、電気通信機器１３０のアプリケーションに表れるバーチャルな操作盤を操作して、駐車場に入出庫操作してもよい。
利用者は、電気通信機器１３０のアプリケーションに表れるバーチャルな操作盤を操作して、パーキングサーバ１１０を介して駐車場に入出庫操作してもよい。
【００６０】
以下に、入出庫操作の手順を、図を基に、まとめて簡単に説明する。
以下では、利用者が駐車場の操作盤を直接に操作する場合の操作手順の説明を省略する。
図９は、本発明の実施形態に係る駐車場の入出庫の通信データ対応図である。
【００６１】
図９（Ａ）は、利用者が電気通信機器１３０の表面上のバーチャルな操作盤に操作をして、駐車場を操作する様子を示す。
利用者が、電気通信機器１３０に対して操作「駐車場操作手順」をする。
電気通信機器１３０は、操作「駐車場操作手順」に対応する信号「駐車場操作信号」を  駐車場制御装置１２４に送信する。
駐車場制御装置１２４は、信号「駐車場操作信号」に」対応して駐車場に入出庫動作をさせる。
駐車場制御装置１２４は、駐車場１２０が所定の入出庫動作を完了すると、電気通信機器１３０に信号「駐車場制御完了信号」を送る。
【００６２】
図９（Ｂ）は、利用者が電気通信機器１３０の表面上のバーチャルな操作盤に操作をして、パーキングサーバを介して駐車場を操作する様子を示す。
利用者が、電気通信機器１３０に対して操作「駐車場操作手順」をする。
電気通信機器１３０は、操作「駐車場操作手順」に対応する信号「駐車場操作信号」を  パーキングサーバ１１０に送信する。
パーキングサーバ１１０は、駐車場制御装置１２４に信号「駐車場操作信号」に対応する信号「駐車場制御指令」を送信する。
駐車場制御装置１２４は、信号「駐車場制御指令」に対応して駐車場に入出庫動作をさせる。
駐車場制御装置１２４は、駐車場１２０が所定の入出庫動作を完了すると、パーキングサーバ１１０に信号「駐車場制御完了信号」を送る。
パーキングサーバ１１０は、電気通信機器１３０に信号「駐車場制御完了信号」を送る。
【００６３】
次に、本発明の実施形態の駐車場の利用者認証方法を作用した駐車システムの作用を、入庫操作機能と出庫操作機能に分けて、図を用いて、説明する。
図１０は、本発明の実施形態にかかる駐車システムにおける入庫操作機能を示している。
入庫操作機能は、（利用前の安全教育）（入庫前の認証）（入庫開始から完了まで）で構成される。
【００６４】
（利用前の安全教育）
利用者が駐車システムを利用する前に、利用者を安全教育する。
利用者６０は、電気通信機器３０を操作する。
利用の心得、電気通信機器を操作する手順、等が、電気通信機器３０の画面に、文字情報、映像情報を用いて示される。
利用者６０は、電気通信機器３０の画面により安全教育をうける。
利用者６０を特定利用者に認定する。
【００６５】
（入庫前の認証）
利用者が車両を運転して入出庫空間の前に止まる。
外部通信コントロール部１２５と電気通信機器１３０とが近距離通信する。
駐車場１２０の外部通信コントロール部１２５と電気通信機器１３０が近距離通信をし、利用者を認証する。
パーキングサーバ１１０が、電気通信機器１３０を特定電気通信機器に認定し、駐車場を特定駐車場に認定する。
【００６６】
（入庫開始）〜（扉が開くまで）
利用者が電気通信機器１３０の画面を見て、入庫操作を開始させる。
空パレットが入出庫空間に位置する。
入出庫扉が開く、
【００６７】
（扉開後）〜（利用者の駐車完了）
利用者が、車両を運転して入出庫空間にいれる。
利用者が、車両から降りて、入出庫空間の外にでる。
【００６８】
（利用者の駐車完了）〜（入庫完了）
利用者が、電気通信機器１３０の画面をみて、入出庫空間の安全を確認する。
利用者が、入出庫空間に人、物がないことを確認すると、電気通信機器１３０の画面の安全確認釦を押す。
入出庫空間扉が閉じる。
入庫操作を完了する。
【００６９】
図１１は、本発明の実施形態にかかる駐車システムにおける出庫操作機能を示している。
入庫操作機能は、（出庫前の認証）（出庫開始から完了まで）で構成される。
【００７０】
（出庫前の認証）
特定利用者が入出庫空間の前に立つ。
外部通信コントロール部１２５と電気通信機器１３０とが近距離通信する。
駐車場１２０の外部通信コントロール部１２５と電気通信機器１３０が近距離通信をし、互いのパーキングＩＤと顧客ＩＤとを交換する。
パーキングサーバ１１０が、利用者を認証する。
【００７１】
（出庫開始）〜（扉が開くまで）
利用者が電気通信機器１３０の画面を見て、出庫操作を開始させる。
呼びだした車両を搭載するパレットが入出庫空間に位置する。
入出庫扉が開く、
【００７２】
（扉開後）〜（利用者の車両移動）
利用者が、入出庫空間に入る。
利用者が、車両に乗り込み、車両を入出庫空間の外にだす。
【００７３】
（利用者の車両移動）〜（出庫完了）
利用者が、電気通信機器１３０の画面をみて、入出庫空間の安全を確認する。
利用者が、入出庫空間に人、物がないことを確認すると、電気通信機器１３０の画面の安全確認釦を押す。
入出庫空間扉が閉じる。
出庫操作を完了する。
【００７４】
また、本発明の実施形態に係る駐車場１００は、その構成により、以下の効果を有する。
入出庫口の前に位置する利用者の操作する電気通信機器１３０と無線通信可能または音声通信可能な外部通信コントロール部１２５とを準備し、入出庫口の前に位置する利用者の操作する電気通信機器１３０と外部通信コントロール部１２５との通信を確保し、通信を確保した電気通信機器１３０から電気通信機器１３０または利用者に与えられる顧客ＩＤを受信し、受信した顧客ＩＤが有効が否かを判定し、顧客ＩＤが有効であると判断するとき利用者の乗る車両を利用者が車両を入出庫させるための操作である入出庫操作をする特定入出庫口に通して入出庫させる様にしたので、入出庫口の前に位置する利用者を入出庫口を通して駐車場へ入出庫することを許可された者であると認証できる。
-2-
また、受信した顧客ＩＤが通信を確保した電気通信機器１３０の位置する入出庫口を持つ駐車場１２０と予め関連づけられていると判断したとき受信した顧客ＩＤが有効であると判定する様にしたので、駐車場に対応する顧客ＩＤの有効を判断できる。
また、外部通信コントロール部１２５が、受信した顧客ＩＤとパーキングＩＤとをパーキングサーバ１１０に送信し、パーキングサーバ１１０から顧客ＩＤがパーキングＩＤに対して有効であることを意味する有効信号を受信したとき、受信した顧客ＩＤが有効であると判定する様にしたので、駐車場１２０に対応する顧客ＩＤの有効を判断できる。
また、利用者が入出庫口での入出庫操作を開始したとき前記特定入出庫口を確認し、受信した顧客ＩＤが確認した特定入出庫口と予め関連づけられているとき受信した顧客ＩＤが有効であると判定する様にしたので、特定入出庫口に対応する顧客ＩＤの有効を判断できる。
また、利用者が入出庫口での入出庫操作を開始したとき前記特定入出庫口を確認し、受信した顧客ＩＤが確認した特定入出庫口と予め関連づけられているとき受信した顧客ＩＤが有効であると判定する様にしたので、特定入出庫口を持つ駐車場に対応する顧客ＩＤの有効を判断できる。
また、入出庫口の前に設けられる車両を一時停止させる領域である一時停止領域Ｋの内側に位置する電気通信機器１３０と通信できる指向性をもつ受信機を用意する様にしたので、確実に一時停止領域の内側に位置する電気通信機器と通信を確保できる。
また、入出庫口の前に設けられる一時停止領域Ｋの内側に位置する電気通信機器と通信できる指向性をもつ複数の受信機を上から見て入出庫口の中央をセンターとして左右に所定の間隔で配置し、通信を確保できた特定の受信機である単数又は複数の特定受信機の位置の情報である単数又は複数の位置情報を基に特定電気通信機器が特定入出庫口の一時停止領域の内側に位置するか否かを判定し、特定電気通信機器が特定入出庫口の一時停止領域の内側に位置すると判定すると入出庫工程を実行する様にしたので、特定入出庫口の一時停止領域Ｋの内側に位置する電気通信機器１３０を操作する利用者の入出庫操作により利用者の乗る車両を特定入出庫口に通して入出庫させることができる。
また、入出庫口の前に設けられる一時停止領域の内側に位置する電気通信機器と通信できる指向性をもつ複数の受信機を上から見て入出庫口の中央をセンターとして左右に所定の間隔で配置し、通信を確保できた特定の受信機である単数又は複数の特定受信機の位置の情報である単数又は複数の位置情報を基に、上から見て単数または複数の特定受信機の位置の平均位置が特定入出庫口の位置に対応するときに、特定電気通信機器１３０が特定入出庫口の一時停止領域の内側に位置すると判定し入出庫工程を実行する様にしたので、特定入出庫口の一時停止領域Ｋの内側に位置する電気通信機器１３０を操作する利用者の入出庫操作により利用者の乗る車両を特定入出庫口に通して入出庫させることができる。
また、入出庫口の前に設けられる一時停止領域Ｋの内側に位置する電気通信機器と通信できる指向性をもつ複数の受信機を上から見て入出庫口の中央をセンターとして左右に所定の間隔で配置し、利用者が入出庫口での操作を開始したとき前記特定入出庫口を確認し、通信を確保できた特定の受信機である単数又は複数の特定受信機の位置の情報である単数又は複数の位置情報を基に特定電気通信機器が確認した特定入出庫口の一時停止領域の内側に位置するか否かを判定し、特定電気通信機器が特定入出庫口の一時停止領域の内側に位置すると判定すると入出庫工程を実行する様にしたので、特定入出庫口の一時停止領域Ｋの内側に位置する電気通信機器１３０を操作する利用者の入出庫操作により利用者の乗る車両を特定入出庫口に通して入出庫させることができる。
また、入出庫口の前に設けられる一時停止領域の内側に位置する電気通信機器と通信できる指向性をもつ複数の受信機を上から見て入出庫口の中央をセンターとして左右に所定の間隔で配置し、利用者が入出庫口での操作を開始したとき前記特定入出庫口を確認し、通信を確保できた特定の受信機である単数又は複数の特定受信機の位置の情報である単数又は複数の位置情報を基に、上から見て単数または複数の特定受信機の位置の平均位置が確認した特定入出庫口の位置に対応するときに、特定電気通信機器１３０が特定入出庫口の一時停止領域の内側に位置すると判定し入出庫工程を実行する様にしたので、特定入出庫口の一時停止領域Ｋの内側に位置する電気通信機器１３０を操作する利用者の入出庫操作により利用者の乗る車両を特定入出庫口に通して入出庫させることができる。
【００７５】
本発明は以上に述べた実施形態に限られるものではなく、発明の要旨を逸脱しない範囲で各種の変更が可能である。
【符号の説明】
【００７６】
Ｋ  一時停止領域
５０  車両
６０  利用者
１００  駐車システム
１１０  パーキングサーバ
１２０  駐車場
１２１  駐車場本体
１２２  入出庫空間
１２３  入出庫扉
１２４  駐車場制御装置
１２５  外部通信コントロール部
１３０  電気通信機器
１４０  電子通信網
Ｓ１０  準備工程
Ｓ２０  通信確保工程
Ｓ３０  顧客ＩＤ受信工程
Ｓ４０  顧客ＩＤ有効判定工程
Ｓ５０  位置判定工程」
Ｓ６０  入出庫項工程
【先行技術文献】
【特許文献】
【００７７】
【特許文献１】特開２０１５−１０８２２７号
【図１】
2018040128.tif 000003
【図２】
2018040128.tif 000004
【図３】
2018040128.tif 000005
【図４】
2018040128.tif 000006
【図５】
2018040128.tif 000007
【図６】
2018040128.tif 000008
【図７】
2018040128.tif 000009
【図８】
2018040128.tif 000010
【図９】
2018040128.tif 000011
【図１０】
2018040128.tif 000012
【図１１】
2018040128.tif 000013
【図１２】
2018040128.tif 000014